(57)【要約】    【課題】    【解決手段】  本発明は各種デビットカード、クレジットカード、会員カードなどの決済やポイントの増減並びにカード情報の集配信のための無線決済端末機に関するもので、上記カードを読み取るためのカードリーダー部とカードリーダー部で読み取ったカード情報を表示するディスプレー装置と、端末機の縦方向に配置された用紙入りのドラム及びドラム片側に設置され、用紙にプリントをするプリントメカニズムで構成される。用紙を端末機の横方向に配置することにより、端末機の小型化を可能にするとともに、前面から通信モジュールを端末機の内側にあるモジュールカバーレールへ脱着可能な構造に設計することで、端末機の携帯性と利便性を極大化することができる。【選択図】    図２
2005149155.tif 000002
【特許請求の範囲】
【請求項１】
各種デビットカード、クレジットカード、会員カードなどの決済やポイントの増減並びにカード情報の集配信のための無線決済端末機において、カードを読み取るカードリーダー部、カード情報表示のディスプレー装置、縦方向に配置されたドラムそして結果をプリントするメカニズムで構成する携帯用無線決済端末機であって、通信モジュール（TDMA, PHS, CDMA, Bluetooth CF-TYPE）を前面に着脱可能な構造にした携帯用無線決済端末機。
【請求項２】
端末機の側面（横）に設置される排紙口から用紙を排出するような構造をもつ携帯用無線決済端末機。
【発明の詳細な説明】
【技術分野】
【０００１】
本発明は無線決済のための端末機に関するもので、特に携帯電話を利用し、決済機関から情報を送受信しその結果を出力するに当たり、その構成メカニズムを効率的に配列することにより無線決済端末機のサイズを小型化し、携帯性の優れた携帯用無線決済端末機である。
【背景技術】
【０００２】
昨今、情報産業の急速な発展に伴い、携帯電話をはじめとする移動通信端末機などは情報化社会の重要な通信手段として普及され、信用社会の重要な道具として利用されている。そのひとつの方法として、携帯電話を所定の無線決済端末機と接続し決済機関と接続することにより使用者の信用情報を確認することができる。
【０００３】
特に、最近磁気ストリップをもつ各種デビットカードまたはクレジットカードが広範囲に使われている。これらのカードはデパートや大手商店が独自に発行したり、クレジットカード会社と協力し系列またはグループ専門店、小売店でも発行している。このような各種カードでの支払端末機は基本的に携帯電話に接続する装置以外に、カードを読み取るカードリーダー部、カード情報表示のディスプレー装置、そして出力装置で構成される。出力装置（またはプリントメカニズム）には、用紙がロール巻きされているドラム、ドラム内の用紙を送り出しプリントをするメカニズムが端末機内部に配置される。
【０００４】
図1は、従来の技術による無線決済端末機を図示した構成図で、既存無線決済端末機（10）は端末機(10)の縦方向に、端末機の上部にドラム(3)が配置されており、端末機(10)の前面に用紙が排出される排出口が設置される。また、下部に所定のプリントメカニズムとドラム(3)が隣接するように設置し、ドラムから送り出す用紙に所定の結果物をプリントするように構成される。そして、端末機(10)の下部には、カードリーダー部が設置され、カード情報を読み取ることができる。
【発明の開示】
【発明が解決しようとする課題】
【０００５】
しかし、図１に示すような従来の無線決済端末機の構成では、用紙が巻かれているドラムは、その長さが規格化されているため、端末機の縦方向に配置すると端末機の小型化には限界があり、携帯性が低下するという問題や、使用効率を低下させるという問題がある。また、用紙が端末機の正面に出力されるので、出力される用紙がディスプレー部を覆ってしまうという問題もある。
【０００６】
上記の問題点を解決するため、本発明の目的は、用紙の入っているドラム及びプリントメカニズムを再配置することによって端末機を小型化し携帯性の高い無線決済端末機を提供することにある。
【０００７】
もうひとつの目的は、ディスプレー部を覆わない端末機を提供することにある。
【課題を解決するための手段】
【０００８】
上記の目的を達成するための本発明は、各種デビットカード、クレジットカード、会員カードなどの決済やポイントの増減並びにカード情報の集配信のための無線決済端末機において、上記カードを読み取るためのカードリーダー部と、カードリーダー部で読み取ったカード情報を表示するディスプレー装置（カード情報表示のディスプレー装置）と、端末機の縦方向に配置されたドラムと、ドラム片側に設置され結果を用紙にプリントするプリントメカニズムと、で構成される。
【０００９】
用紙を端末機の横方向に配置することにより、端末機の小型化を実現することができる。また、端末機の前面から通信モジュールを端末機の内側にあるモジュールカバーレールへ脱着可能な構造に設計することで、端末機の携帯性と利便性を極大化する。
【００１０】
なお、本発明における決済とは、各種デビットカード、クレジットカード、会員カードなどの決済のみならず、ポイントの増減やカード情報の集配信などの処理を含む概念である。従って、本発明における無線決済端末機は、各種デビットカード、クレジットカード、会員カードなどの決済にかかる処理のほか、ポイントの増減やカード情報の集配信などの処理についても適用される。
【００１１】
また、本発明は、各種デビットカード、クレジットカード、会員カードなどの決済やポイントの増減並びにカード情報の集配信のための無線決済端末機において、カードを読み取るカードリーダー部、カード情報表示のディスプレー装置、縦方向に配置されたドラムそして結果をプリントするメカニズムで構成する携帯用無線決済端末機であって、通信モジュール（例えば、TDMA, PHS, CDMA, Bluetooth CF-TYPE）を前面に着脱可能な構造にした携帯用無線決済端末機である。
【００１２】
また、本発明は、端末機の側面（横）に設置される排紙口から用紙を排出するような構造をもつ携帯用無線決済端末機である。
【発明の効果】
【００１３】
本発明のよる無線決済端末機は、ドラムとプリントメカニズムを端末機縦方向に設置し、用紙を端末機の横に配置するようにすることにより、端末機の幅を削ることができ、通信モジュールを前面から取り外せ、端末機の携帯性と利便性を最大限にする効果がある。
【発明を実施するための最良の形態】
【００１４】
本発明のよい実施例を添付した図面を参照しながら詳しく説明をすると次の様になる。
【００１５】
図2は、本発明に実施例による無線決済端末機を図示した構成図であり、図3は、無線決済端末機の内部構成を概略的に図示した図面である。図4は、本発明の実施例による無線決済端末機の構成要素を概略的に図示した平面図である。
【００１６】
図2と図4に図示したように、本発明による無線決済端末機（100）は、カードを読み取るカードリーダー部(120)が端末機(100)の下部に設置される。
【００１７】
本発明では、カードを水平方向に移動し読み取るようにしてあるが、状況によっては縦方向に移動させ決済できるように構成することもできる。読み取ったカード情報を表示するディスプレー装置(110)は、端末機(100)本体で双方向に回転できるようフォルダータイプを採択している。しかし、ディスプレー装置の構成はこれに限られず、仕様に応じて他の構成のものを適宜採用することが可能である。また、ここには図示してないが、フォルダー(110)内部、すなわち端末機に接する部分にはLCD装置が設置される。LCD以外にもタッチスクリーン(touch screen)を設置することもできる。もちろんディスプレー装置(110)には、一般バータイプ（bar type）端末機を使用してもかまわないが、フリップアップ（flip-up）タイプ端末機を使用してもよい。
【００１８】
また、端末機(100)の後方には、電源供給手段のバッテリパック(170)が着脱できるようになっている。
【００１９】
ディスプレー装置(110)には、ディスプレー結果を出力するための用紙が入っているドラム（150）が設置される。また、ドラム（150）片側にはプリントメカニズムが設置できる。
【００２０】
ドラムには、巻き紙の用紙が入っており、端末機の縦方向に設置される。したがって、プリントメカニズム（160）も縦方向に設置され、用紙は端末機の側面（横）から排出されるようにした。
【００２１】
また、ここには図示してないが、プリントメカニズム(160)には、用紙にプリントするために感熱方式のプリンタヘッドを備えており、少なくともひとつ以上のフィードローラー（feed roller）と排紙ローラー（exit roller）が設置されるが、これをプリントメカニズムに既述した構成要素のため詳しい説明を省略することにする。
【００２２】
図５に示すように、通信（180）モジュール（CF-TYPE-MODULE）を端末機の内側にあるモジュールカバーレールに押し込んで取り外しのできる構造にしてある。
【図面の簡単な説明】
【００２３】
【図１】従来の技術による無線決済端末機を図示した構成図である。
【図２】本発明の実施例による無線決済端末機を図示した構成図である。
【図３】本発明の実施例による無線決済端末機の内部構成を概略的に図示した図面である。
【図４】本発明の実施例による無線決済端末機の構成要素を概略的に図示した図である。
【図５】本発明の実施例による無線決済端末機の通信モジュール構成要素を概略的に図示した図である。
【符号の説明】
【００２４】
100：無線決済端末機
110：フォルダー
120：カードリーダー部
130：用紙排出口
150：ドラム
160：プリントメカニズム
180：通信モジュール挿入口
【図１】
2005149155.tif 000003
【図２】
2005149155.tif 000004
【図３】
2005149155.tif 000005
【図４】
2005149155.tif 000006
【図５】
2005149155.tif 000007